(57)【要約】      （修正有）【課題】効率よく電池を冷却する。【解決手段】組電池Ａが収容体１００内で絶縁性の液体２００に浸されている。充放電中の自己発熱によって組電池の温度が上昇し、液体に組電池の熱が伝わると、対流が発生する。組電池の熱が液体によって収容体に広い面で伝達されるので収容体の温度が上昇し、外部に対して広い面で大量の熱を放出することができる。液体は収容体の内部で連続的に対流および拡散するので、組電池の熱が液体によって収容体に効率良く伝達され、組電池の熱を収容体から外部に放出することができる。【選択図】図２
2014049424.tif 000002
【特許請求の範囲】
【請求項１】
絶縁性の液体が入れられた収容体と、
前記収容体内で前記液体に浸された電池と、
を備えた蓄電池装置。
【請求項２】
前記収容体は、
前記電池の挿入が可能な第一開口部が設けられ、前記液体が入れられた容器部と、
前記容器部に取り付けられて前記第一開口部を閉じた蓋部と、
前記蓋部に前記電池を取り付けた取付部と、
を備えた請求項１に記載の蓄電池装置。
【請求項３】
前記蓋部に設けられ、前記電池に電気的に接続された第一電気部品を備えた請求項２に記載の蓄電池装置。
【請求項４】
前記収容体に収容された配線と、
前記収容体に設けられた第二開口部に挿入され、前記配線と前記第一電気部品とを電気的に接続するとともに前記第二開口部を前記液体が通過するのを規制するコネクタと、
を備えた請求項３に記載の蓄電池装置。
【請求項５】
前記蓋部に設けられ、前記電池に電気的に接続され前記収容体から露出した電極部を備えた請求項２ないし４のいずれか一項に記載の蓄電池装置。
【請求項６】
前記電池と前記電極部とを含む電気回路と、
前記蓋部に設けられ、前記電気回路を遮断する遮断装置と、
を備えた請求項５に記載の蓄電池装置。
【請求項７】
前記電池は、前記容器部の内面から離間された請求項２ないし６のいずれか一項に記載の蓄電池装置。
【請求項８】
前記収容体は、複数設けられて相互に積み重ねられ、
前記電池は、複数設けられて、複数の前記収容体に入れられた請求項１に記載の蓄電池装置。
【請求項９】
前記収容体同士を連通し前記収容体間での液体の流動を許容する第一流路が設けられた請求項８に記載の蓄電池装置。
【請求項１０】
前記電池は、前記収容体の底部に載置された請求項１に記載の蓄電池装置。
【請求項１１】
前記収容体から流出した前記液体を冷却し、冷却した液体を前記収容体へ戻す循環冷却部を備えた請求項１ないし１０のいずれか一項に記載の蓄電池装置。
【請求項１２】
前記循環冷却部は、
前記液体が流入する熱交換器と、
前記熱交換器での前記液体の冷却に用いられる風を発生させるファンと、
前記収容体と前記熱交換器との間で前記液体を循環させるポンプと、
を備えた請求項１１に記載の蓄電池装置。
【請求項１３】
前記液体が流動可能な第二流路を介して前記収容体に接続され、前記液体を貯留するリザーバタンクを備えた請求項１１または１２に記載の蓄電池装置。
【請求項１４】
前記収容体の内部と前記収容体の外部との少なくとも一方の温度を計測する温度計測部と、
前記温度計測部の計測結果を用いて前記循環冷却部を制御する制御部と、
を備えた請求項１１ないし１３のいずれか一項に記載の蓄電池装置。
【請求項１５】
前記温度計測部は、前記収容体の内部の温度を計測し、
前記制御部は、前記計測結果が規定値以上となった場合、前記循環冷却部を動作させる請求項１４に記載の蓄電池装置。
【請求項１６】
前記温度計測部は、前記収容体の内部の温度と前記収容体の外部の温度とを計測し、
前記制御部は、計測された前記収容体の内部の温度と前記収容体の外部の温度とを用いて循環冷却部を制御する請求項１４に記載の蓄電池装置。
【請求項１７】
前記温度計測部は、前記電池に設けられた温度センサを含む請求項１４ないし１６のいずれか一項に記載の蓄電池装置。
【請求項１８】
前記電池は、複数の単電池と前記複数の単電池を収容した筐体とを有した組電池であり、
前記温度センサは、前記筐体または前記単電池に設けられた凹部に収容された請求項１７に記載の蓄電池装置。
【請求項１９】
前記電池に設けられ、防液部によって覆われた状態で前記液体に浸された第二電気部品を備えた請求項１ないし１８のいずれか一項に記載の蓄電池装置。
【請求項２０】
前記収容体に設けられ、前記収容体内の圧力上昇により前記収容体を開放する弁を備えた請求項１ないし１９のいずれか一項に記載の蓄電池装置。
【発明の詳細な説明】
【技術分野】
【０００１】
本発明の実施形態は、蓄電池装置に関する。
【背景技術】
【０００２】
従来、筐体内に複数の単電池を収容した組電池等の電池が知られている。
【先行技術文献】
【特許文献】
【０００３】
【特許文献１】特開２０００−２５１９５１号公報
【特許文献２】特開２００５−６１６９０号公報
【特許文献３】特開２００５−２８５４５５号公報
【特許文献４】特開２００７−６６６４７号公報
【特許文献５】特開２００９−９８８８号公報
【特許文献６】特開２００９−１６２０５号公報
【特許文献７】特開２０１１−２９１０３号公報
【非特許文献】
【０００４】
【非特許文献１】「Report  No.  GTL-DOT-11-VOLTBAT  CHEVROLET  VOLT  BATTERY  PACK  TESTS」  GENERAL  TESTING  LABORATORIES,  INC.  ２０１２年
【発明の概要】
【発明が解決しようとする課題】
【０００５】
この種の電池では、一例として、より効率よく冷却することが望まれていた。
【課題を解決するための手段】
【０００６】
実施形態の蓄電池装置は、収容体と、電池と、を備えた。前記収容体には、絶縁性の液体が入れられた。前記電池は、前記収容体内で前記液体に浸された。
【図面の簡単な説明】
【０００７】
【図１】図１は、第１実施形態にかかる蓄電池装置の一例を示す正面図である。
【図２】図２は、第１実施形態にかかる蓄電池装置の内部構成の一例を示す正面図（一部断面図）である。
【図３】図３は、第１実施形態にかかる組電池の一例を示す斜視図である。
【図４】図４は、第１実施形態にかかる組電池の一例を示す分解斜視図である。
【図５】図５は、第１実施形態にかかる組電池の内部構成の一例を示す平面図（一部断面図）である。
【図６】図６は、第１実施形態にかかる蓄電池装置の電気的接続の一例を示すブロック図である。
【図７】図７は、第１実施形態の第１変形例にかかる蓄電池装置の内部構成の一例を示す正面図（一部断面図）である。
【図８】図８は、第１実施形態の第２変形例にかかる蓄電池装置の内部構成の一例を示す正面図（一部断面図）である。
【図９】図９は、第２実施形態にかかる蓄電池装置の内部構成の一例を示す正面図（一部断面図）である。
【図１０】図１０は、第３実施形態にかかる蓄電池装置の一例を示す斜視図である。
【図１１】図１１は、第３実施形態にかかる蓄電池装置の一部の一例を示す斜視図である。
【図１２】図１２は、図１１のＦ１２−Ｆ１２線断面図である。
【図１３】図１３は、第４実施形態にかかる蓄電池装置の一例を示す斜視図である。
【図１４】図１４は、第４実施形態にかかる蓄電池装置の一例を示す分解斜視図である。
【図１５】図１５は、第４実施形態にかかる収容体の一例を示す斜視図である。
【図１６】図１６は、第４実施形態にかかる電池ユニットの一例を示す斜視図である。
【図１７】図１７は、第５実施形態にかかる蓄電池装置の内部構成の一例を示す正面図（一部断面図）である。
【図１８】図１８は、第５実施形態の変形例にかかる蓄電池装置の内部構成の一例を示す正面図（一部断面図）である。
【図１９】図１９は、第６実施形態にかかる組電池の内部構成の一例を示す側面図（一部断面図）である。
【図２０】図２０は、第６実施形態にかかる蓄電池装置の電気的接続の一例を示すブロック図である。
【図２１】図２１は、第６実施形態にかかるＣＰＵが実行する温度制御処理の流れの一例を示すフローチャートである。
【図２２】図２２は、第６実施形態の変形例にかかる組電池の内部構成の一例を示す側面図（一部断面図）である。
【図２３】図２３は、第７実施形態にかかる蓄電池装置の内部構成の一例を示す正面図（一部断面図）である。
【図２４】図２４は、第７実施形態にかかる蓄電池装置の電気的接続の一例を示すブロック図である。
【図２５】図２５は、第７実施形態にかかるＣＰＵが実行する温度制御処理の流れの一例を示すフローチャートである。
【図２６】図２６は、第８実施形態にかかる蓄電池装置の一例を示す正面図である。
【図２７】図２７は、第８実施形態にかかる蓄電池装置の電気的接続の一例を示すブロック図である。
【図２８】図２８は、第８実施形態にかかる収容体の内外の温度変化の一例を示すグラフである。
【図２９】図２９は、第８実施形態にかかるＣＰＵが実行する温度制御処理の流れの一例を示すフローチャートである。
【発明を実施するための形態】
【０００８】
以下の例示的な複数の実施形態および変形例には、同様の構成要素が含まれている。よって、以下では、同様の構成要素には共通の符号が付されるとともに、重複する説明が省略される。
【０００９】
＜第１実施形態＞
本実施形態では、一例として、図１および図２に示される蓄電池装置Ａ（電源装置、電池パック、電池冷却構造）は、組電池１（電池、図２参照）を内蔵している。一例として、組電池１は、複数設けられている。複数の組電池１は、直列または並列に接続（電気的に接続）されている。なお、図２では、一例として、複数の組電池１が直列に接続された例が示されている。
【００１０】
組電池１は、一例として、直列または並列に接続された複数の単電池３（電池、単電池部、単セル、図４参照）を有し、一例としては、二次電池（蓄電池、充電式電池）として構成されうる。よって、組電池１は、電池モジュール（電池ユニット）と言うことができる。また、組電池１に含まれる単電池３の数や配置等は、本実施形態で開示されるものには限定されない。
【００１１】
単電池３は、一例として、それぞれ、リチウムイオン二次電池として構成されることができる。なお、単電池３は、ニッケル水素電池や、ニッケルカドミウム電池、鉛蓄電池等、他の二次電池であってもよい。リチウムイオン二次電池は、非水電解質二次電池の一種であり、電解質中のリチウムイオンが電気伝導を担う。正極材料としては、例えば、リチウムマンガン複合酸化物、リチウムニッケル複合酸化物、リチウムコバルト複合酸化物、リチウムニッケルコバルト複合酸化物、リチウムマンガンコバルト複合酸化物、スピネル型リチウムマンガンニッケル複合酸化物、オリビン構造を有するリチウムリン酸化物等が用いられ、負極材料としては、例えば、チタン酸リチウム（ＬＴＯ）等の酸化物系材料や、炭素質材料、シリコン系材料等が用いられる。また、電解質（一例としては電解液）としては、例えば、フッ素系錯塩（例えばＬｉＢＦ４、ＬｉＰＦ６）等のリチウム塩が配合された、例えば、炭酸エチレンや炭酸プロピレン、炭酸ジエチル、炭酸エチルメチル、炭酸ジメチル等の有機溶媒等が単独であるいは複数混合されて用いられる。
【００１２】
蓄電池装置Ａ（組電池１）は、種々の装置や、機械、設備等に設置され、それら種々の装置や、機械、設備の電源として使用されうる。例えば、蓄電池装置Ａ（組電池１）は、自動車や自転車（移動体）等の電源等、移動型の電源としても使用される他、例えば、ＰＯＳ（point  of  sales）システム用の電源等、定置型の電源としても使用される。また、種々の装置等には、本実施形態で示される蓄電池装置Ａを、直列あるいは並列に複数接続したセットとして搭載することができる。
【００１３】
組電池１は、収容体１００（筐体、容器、収容部）に収容されている。収容体１００には、絶縁性の液体２００（絶縁液、絶縁媒体）が入れられている。即ち、収容体１００は、液体２００を貯留している。各組電池１は、収容体１００内で液体２００に浸されている（浸漬されている）。液体２００としては、例えば、絶縁油やフッ素系不活性液体等を用いることができる。
【００１４】
以下、蓄電池装置Ａの各部を詳しく説明する。
【００１５】
収容体１００は、一例として、概略直方体状の外観を呈している。また、本実施形態では、一例として、収容体１００は、底壁１００ａや、側壁１００ｂ、端壁１００ｃ、天壁１００ｄ等の複数の壁部（壁）を有している。底壁１００ａ（壁部）は、四角形状（例えば長方形状）の板状に形成されている。側壁１００ｂ（壁部）は、四角形状（例えば長方形状）の板状に形成されている。また、側壁１００ｂは、底壁１００ａの長手方向の端部に接続され、底壁１００ａと交叉する方向（本実施形態では一例として直交する方向）に沿って延びている。端壁１００ｃ（壁部）は、四角形状（例えば長方形状）の板状に形成され、底壁１００ａの短手方向の端部に接続されている。また、端壁１００ｃは、底壁１００ａと交叉する方向（本実施形態では一例として直交する方向）に沿って延びている。また、側壁１００ｂは、隣接する端壁１００ｃと接続されている。天壁１００ｄ（壁部）は、四角形状（例えば長方形状）の板状に形成されている。また、天壁１００ｄは、側壁１００ｂおよび端壁１００ｃの端部に接続され、側壁１００ｂおよび端壁１００ｃと交叉する方向（本実施形態では一例として直交する方向）に沿って延びている。底壁１００ａおよび天壁１００ｄは、それらの内面（収容体１００の内側の面）同士が面した（対向した）状態で並んで（本実施形態では、一例として平行に）配置されている。二つの側壁１００ｂは、それらの内面同士が面した（対向した）状態で並んで（本実施形態では、一例として平行に）配置されている。また、二つの端壁１００ｃは、それらの内面同士が面した（対向した）状態で並んで（本実施形態では、一例として平行に）配置されている。
【００１６】
また、収容体１００は、金属材料や絶縁性を有した合成樹脂材料等によって構成される。また、本実施形態では、一例として、収容体１００は、複数（本実施形態では、一例として二つ）の部材（容器部１０１および蓋部１０２）の組み合わせとして構成されている。容器部１０１（第一部材、容器、容器部材、本体部）は、底壁１００ａ、側壁１００ｂ、および端壁１００ｃを含む。容器部１０１には、組電池１の挿入（挿脱）が可能な凹状（直方体状）の室１００ｅ（収容室、収容部、凹部）が設けられている。室１００ｅは、底壁１００ａ、側壁１００ｂ、端壁１００ｃ等によって囲まれている。室１００ｅの上面には、組電池１の挿入（挿脱）が可能な開口部１００ｅ１（第一開口部）が設けられている。容器部１０１（室１００ｅ）には、液体２００が入れられている。蓋部１０２（第二部材、蓋、蓋部材）は、天壁１００ｄを含む。蓋部１０２は、容器部１０１に取り付けられて開口部１００ｅ１を閉じている。
【００１７】
本実施形態では、一例として、図２に示されるように、収容体１００は、天壁１００ｄの周縁部が側壁１００ｂの外面よりもフランジ状に外側に張り出した張出部１００ｆを有している。張出部１００ｆは、上壁１００ｇ（壁部）、下壁１００ｈ（壁部）を有する。上壁１００ｇは、蓋部１０２の天壁１００ｄの周縁部である。下壁１００ｈは、容器部１０１の側壁１００ｂの蓋部１０２側の端部から上壁１００ｇに面した状態に張り出している。下壁１００ｈには、環状の凹部１００ｈ１（空間、収容室、収容部）が形成されている。本実施形態では、一例として、凹部１００ｈ１には、シール部材１２０が収容されている。容器部１０１および蓋部１０２は、一例として、図示されない固定具（例えばねじ等）や、接着剤等によって結合（固定）されている。本実施形態では、一例として、容器部１０１および蓋部１０２は、固定具（例えばねじ等）によって固定され、蓋部１０２は容器部１０１に着脱可能となっている。本実施形態では、一例として、張出部１００ｆの上壁１００ｇと下壁１００ｈとが固定具によって固定されている。そして、シール部材１２０によって、容器部１０１と蓋部１０２との間のシール性（気密性、液密性）が保たれている（確保されている）。
【００１８】
また、一例として、容器部１０１の底壁１００ａには、排出口１００ｉ（開口、開口部）が設けられている。排出口１００ｉは、容器部１０１（室１００ｅ）の内外を連通する。排出口１００ｉは、閉塞部材１０３（蓋部）によって閉塞されている。閉塞部材１０３は、底壁１００ａに、例えばねじ等によって着脱可能に取り付けられている。閉塞部材１０３が底壁１００ａから取り外されることで、排出口１００ｉが開放されて、容器部１０１（室１００ｅ）内の液体２００が排出口１００ｉから排出される。
【００１９】
また、一例として、容器部１０１には、点検部１００ｊが設けられている。点検部１００ｊは、一例として、一対の側壁１００ｂのうちの一方の側壁１００ｂから突出している。点検部１００ｊには、上方に開口した点検口１００ｋ（開口、開口部）が設けられており、点検口１００ｋは、容器部１０１（室１００ｅ）の内外を連通する。点検口１００ｋは、閉塞部材１０４（蓋部、サービスバルブ）によって閉塞されている。閉塞部材１０４は、点検部１００ｊに、例えばねじ等によって着脱可能に取り付けられている。閉塞部材１０４が点検部１００ｊから取り外されることで、点検口１００ｋが開放されて、容器部１０１（室１００ｅ）内の点検が可能となる。一例としては、点検棒（図示せず）を点検口１００ｋから容器部１０１内に挿入してから引き出して、点検棒に付着した液体２００を観察することで液体２００の状態や液量が点検されうる。また、点検口１００ｋから液体２００を容器部１０１に注入することも可能である。したがって、点検口１００ｋは、注液口ということもできる。
【００２０】
また、一例として、容器部１０１には、レベルスイッチ１０５（第一レベルスイッチ、第一液体検出センサ、第一センサ、センサ、上限センサ）と、レベルスイッチ１０６（第二レベルスイッチ、第二液体検出センサ、第二センサ、センサ、下限センサ）と、圧力センサ１０７（第三センサ、センサ）とが設けられている。レベルスイッチ１０５，１０６は、液体２００（の有無）を検出する。圧力センサ１０７は、容器部１０１内の圧力（液体２００の圧力）を検出する。
【００２１】
レベルスイッチ１０５，１０６、および圧力センサ１０７は、一例として、一対の側壁１００ｂのうちの他方の側壁１００ｂに設けられている。即ち、レベルスイッチ１０５，１０６、圧力センサ１０７は、一例として、点検部１００ｊが設けられていない方の側壁１００ｂに設けられている。レベルスイッチ１０５，１０６、および圧力センサ１０７は、側壁１００ｂを貫通して設けられて、それらの先端部（センサ部、検出部）が容器部１０１内に位置されている。一例として、レベルスイッチ１０５は、容器部１０１の上端部に位置され、レベルスイッチ１０６は、レベルスイッチ１０５の下方に位置され、圧力センサ１０７は、レベルスイッチ１０６の下方に位置されている。本実施形態では、一例として、容器部１０１に規定量（第１規定量）の液体２００が入れられた状態では、容器部１０１には、液体２００の上方に気体３００（気体層、空気、ガス）が存在する。そして、この状態で、レベルスイッチ１０５は、液体２００には浸されずに気体３００に曝され、レベルスイッチ１０６および圧力センサ１０７は、液体２００に浸される。
【００２２】
蓋部１０２には、当該蓋部１０２に組電池１を取り付けた取付部１０８（取付部材、吊り下げ部、吊り下げ部材、保持部、保持部材、フレーム）が設けられている。取付部１０８は、一例として、蓋部１０２に吊り下げ状態で取り付けられている。取付部１０８は、一例として、一対の腕部１０８ａ（第一部、側部、壁部）と、一対の腕部１０８ａの下端部同士を接続した底部１０８ｂ（底壁部、壁部）と、を有している。各腕部１０８ａの上端部には、一例として、一対の張出部１０８ｃ（固定部）が設けられている。一対の張出部１０８ｃは、相互に離れる方向に、各腕部１０８ａから蓋部１０２の下面１０２ａ（内面）に沿って延出している。これら張出部１０８ｃは、一例として固定具１１６（ねじ）によって、蓋部１０２に着脱可能に固定されている。
【００２３】
取付部１０８は、複数の組電池１を支持している。一例として、複数の組電池１は、底部１０８ｂに置かれた状態で、取付部１０８に図示されない固定具（例えばねじ等）や、接着剤等によって結合されている。取付部１０８に支持された組電池１は、容器部１０１の内面１０１ａから離間されている。詳細には、組電池１は、内面１０１ａを構成する底面１０１ｂおよび周面１０１ｃから離間されている。底面１０１ｂは、底壁１００ａの内面によって構成され、周面１０１ｃは、側壁１００ｂの内面および端壁１００ｃの内面によって構成されている。組電池１と内面１０１ａ（底面１０１ｂ、周面１０１ｃ）との間には液体２００が存在する。取付部１０８は、一例として、金属材料や絶縁材料（合成樹脂等）によって構成される。取付部１０８に支持された複数の組電池１は、一例として、その全体が液体２００の液面２００ａの下方に位置されている。また、取付部１０８に支持された複数の組電池１は、一例として、導電部材１０９（接続部材）を介して直列に接続されている。導電部材１０９は、一例として、導電性の金属材料によって構成されている。
【００２４】
また、一例として、蓋部１０２には、正電極部１１０（電極部）、負電極部１１１（電極部）が設けられている。正電極部１１０は、複数の組電池１のうちのある組電池１の正電極部３１に導電部材１０９を介して接続され、負電極部１１１は、複数の組電池１のうちの他のある組電池１の負電極部３２に導電部材１０９を介して接続されている。正電極部１１０、負電極部１１１、および複数の組電池１は、導電部材１０９を介して接続（電気的に接続）されて、電気回路１１２（第一電気回路、回路、第一回路）を構成している。即ち、電気回路１１２は、組電池１と電極部（正電極部１１０、負電極部１１１）とを含む。電気回路１１２には、遮断装置１１３（サービスプラグ）が設けられている。遮断装置１１３は、一例として隣合う組電池１のうちの一方の組電池１の正電極部１１０と他方の組電池１の負電極部１１１との間に設けられている。遮断装置１１３は、通常は電気回路１１２を接続しているが、所定の操作を受けることで電気回路１１２を遮断する。これにより電気回路１１２の通電が遮断される。
【００２５】
正電極部１１０および負電極部１１１は、組電池１に電気的に接続され収容体１００から露出している。正電極部１１０および負電極部１１１は、閉塞部材１１４（蓋部、蓋部材）に設けられている。閉塞部材１１４は、蓋部１０２に設けられた開口部１０２ｂ（開口、挿通孔）を閉じている。蓋部１０２の開口部１０２ｂの周縁部には、開口部１０２ｂを囲った環状の凹部１０２ｃ（空間、収容室、収容部）が形成されている。本実施形態では、一例として、凹部１０２ｃには、シール部材１１５が収容されている。閉塞部材１１４は、蓋部１０２に、一例としてねじによって固定され、閉塞部材１１４は蓋部１０２に着脱可能となっている。そして、シール部材１１５によって、閉塞部材１１４と蓋部１０２との間のシール性（気密性、液密性）が保たれている（確保されている）。
【００２６】
また、一例として、蓋部１０２には、管理装置１１７（第一電気部品、基板装置、第一基板装置）が設けられている。管理装置１１７は、基板にＣＰＵ５１（図６参照）等の電気部品が実装されて構成されている。管理装置１１７は、各組電池１に設けられた監視装置３３（第二電気部品、基板装置、第二基板装置）の制御および管理を行う。管理装置１１７は、蓋部１０２の上面１０２ｄ（外面）に設けられた支持部１０２ｅに、図示されない固定具（例えばねじ等）や、接着剤等によって結合（固定）されている。管理装置１１７は、各組電池１に電気的に接続されている。管理装置１１７は、収容体１００に収容された配線１１８（信号線、電線、ケーブル）を介して、組電池１に設けられた監視装置３３に接続されている。配線１１８は、コネクタ１１９を介して管理装置１１７に接続されている。コネクタ１１９は、防水（防油）機能を有している。コネクタ１１９は、蓋部１０２（収容体１００）に設けられた開口部１０２ｆ（第二開口部、開口、挿入孔）に挿入されて、開口部１０２ｆを閉塞している。コネクタ１１９は、配線１１８と管理装置１１７とを電気的に接続するとともに開口部１０２ｆを液体２００が通過するのを規制する。よって、開口部１０２ｆから液体２００が漏れることをコネクタ１１９が抑制する。監視装置３３は、各組電池１に設けられて組電池１を監視する。一例として、監視装置３３は、組電池１の電圧等を監視して当該電圧等（監視結果）を管理装置１１７に送信する。複数の監視装置３３は、一例として、配線１１８によって直列に接続されている。
【００２７】
また、収容体１００の蓋部１０２には、一例として、リリーフ弁１２１（弁、第一弁）と、安全弁１２２（弁、第二弁）とが設けられている。リリーフ弁１２１および安全弁１２２は、収容体１００内の圧力上昇により収容体１００を開放する。安全弁１２２は、詳細には、収容体１００の圧力上昇により蓋部１０２に設けられた薄肉部１２２ａ（脆弱部）で当該蓋部１０２が切れることによって収容体１００を開放する。一例として、リリーフ弁１２１は、収容体１００内の圧力が第一圧力以下の場合は閉弁状態であり、収容体１００内の圧力が第一圧力を超えた場合に開弁する。一方、安全弁１２２は、収容体１００内の圧力が第二圧力以下の場合は閉弁状態であり、収容体１００内の圧力が第二圧力を超えた場合に開弁する。第二圧力は第一圧力よりも高い圧力である。上記構成により、収容体１００の圧力が高まり収容体１００内の圧力が第一圧力を超えると、リリーフ弁１２１が開弁して、一例として、気体３００が収容体１００の外へ出る。また、一例として収容体１００の圧力が急激に高まり収容体１００内の圧力が瞬間的に第一圧力および第二圧力を超えると、リリーフ弁１２１が開弁するとともに安全弁１２２が開弁して、一例として気体３００が収容体１００の外へ出る。
【００２８】
組電池１は、図３〜図５に示されるように、筐体２を有している。筐体２は、複数の単電池３を収容している。筐体２は、底壁２ａ、側壁２ｂ、端壁２ｃ、および天壁２ｄを有している。底壁２ａは、四角形状（例えば長方形状）の板状に形成されている。側壁２ｂは、四角形状（例えば長方形状）の板状に形成されている。また、側壁２ｂは、底壁２ａの短手方向の端部に接続され、底壁２ａと交叉する方向（本実施形態では一例として直交する方向）に沿って延びている。端壁２ｃは、四角形状（例えば長方形状）の板状に形成され、底壁２ａの長手方向の端部に接続されている。また、端壁２ｃは、底壁２ａと交叉する方向（本実施形態では一例として直交する方向）に沿って延びている。また、側壁２ｂは、隣接する端壁２ｃと接続されている。天壁２ｄは、四角形状（例えば長方形状）の板状に形成されている。また、天壁２ｄは、側壁２ｂおよび端壁２ｃの端部に接続され、側壁２ｂおよび端壁２ｃと交叉する方向（本実施形態では一例として直交する方向）に沿って延びている。天壁２ｄは、底壁２ａと並行して（平行に）設けられている。
【００２９】
また、筐体２は、隔壁２ｅを有している。隔壁２ｅは、四角形状（例えば長方形状）の板状に形成されている。隔壁２ｅは、底壁２ａと天壁２ｄとの間に位置され、底壁２ａおよび天壁２ｄに平行に設けられている。隔壁２ｅによって、筐体２の内部は、二つの空間（室２５ａ，２５ｂ）に区分されている。隔壁２ｅの底壁２ａ側の室２５ａ（空間）には、複数の単電池３が収容され、隔壁２ｅの天壁２ｄ側の室２５ｂ（空間）には、バスバーが収容される。また、隔壁２ｅには、単電池３の電極部３ａ（正電極部および負電極部）に対応して（対向して）貫通部２ｆ（例えば、孔や切欠等、本実施形態では、一例として貫通孔）が設けられている。電極部３ａおよび当該電極部３ａに電気的に接続されるバスバーのうち少なくとも一方が、貫通部２ｆを貫通する。
【００３０】
また、本実施形態では、一例として、筐体２は、図４に示されるように、複数（本実施形態では、一例として四つ）の部材２１〜２４を組み合わせて構成されている。具体的に、筐体２は、第一部材２１、第二部材２２、第三部材２３、および第四部材２４を有する。第一部材２１は、底壁２ａと、側壁２ｂおよび端壁２ｃの端部とを含み、皿状（角皿状）に構成されている。第二部材２２は、側壁２ｂおよび端壁２ｃを含み、筒状（角筒状）に構成されている。第三部材２３は、隔壁２ｅと、その周囲を取り囲む側壁２ｂおよび端壁２ｃの一部とを含む。また、第四部材２４は、天壁２ｄと、側壁２ｂおよび端壁２ｃの端部とを含み、皿状（角皿状）に形成されている。これら複数の部材２１〜２４は、図示されない固定具（例えばねじ等）や、接着剤等によって結合される。なお、ここで示された筐体２を構成する部材２１〜２４の構成は、あくまで一例であって、筐体２は種々の部材の形状や、組み合わせ等によって構成されうる。
【００３１】
また、本実施形態では、一例として、筐体２は、合成樹脂材料や金属材料等で構成されうる。また、筐体２は、一例としては、絶縁性材料で構成される。筐体２が電導性材料で構成される場合には、必要に応じて、筐体２の外面２ｇまたは内面２ｈは絶縁性材料で覆われうる。また、筐体２内には、必要に応じて、シール部材が設けられる。このシール部材は、一例として、筐体２が合成樹脂材料で構成されている場合、筐体２内への水分透過を防ぐ機能を有する。
【００３２】
また、本実施形態では、一例として、図４，５に示されるように、筐体２内の、隔壁２ｅより底壁２ａ側の室２５ａ内には、単電池３と熱伝達部材４とが収容されている。単電池３は、偏平な直方体状（角形状）の外観を呈している。単電池３は、一例としては、金属材料（例えばアルミニウム合金等）で構成された筐体３ｂを有している。筐体３ｂは、熱伝導性の高い材料で構成されるのが好適である。なお、筐体３ｂは、例えば、合成樹脂材料等によって構成されていてもよい。電極部３ａは、単電池３の長手方向の端部となる外面３ｃ（端面、側面）に設けられている。
【００３３】
また、熱伝達部材４は、一例としては、四角形状（例えば長方形状）のシート状に構成されている。熱伝達部材４は、筐体２とは異なる材質、一例としては、筐体２より熱伝導率が高い材質を含んで構成され、筐体２より熱伝導率が高い。熱伝達部材４としては、例えば、カーボンファイバーを含む構成や、熱伝導性の比較的高いフィラー（例えばカーボン等）を含んだ樹脂材料（一例としてはシリコン樹脂等）を含む構成とすることができる。また、熱伝達部材４は、弾性を有することができる。この場合、熱伝達部材４はエラストマ（合成ゴム等）の層を含むことができる。また、熱伝達部材４の大きさは、単電池３の厚さ方向の端部となる外面３ｄ（側面）の大きさとほぼ同じである。なお、他の例としては、単電池３同士を固定するあるいは単電池３を筐体２に固定する接着剤を、熱伝達部材４として用いることができる。この場合、熱伝達部材４は、単電池３を筐体２に固定する機能と熱を伝達する機能とを担う。
【００３４】
そして、本実施形態では、一例として、筐体２の室２５ａ内では、複数の単電池３がその厚さ方向に重ねて配置されるとともに、複数の単電池３と熱伝達部材４とが、それらの厚さ方向に交互に重ねて配置されている。すなわち、二つの隣接した単電池３の間には、熱伝達部材４が介在されている。また、本実施形態では、一例として、単電池３と熱伝達部材４とが相互に密着して配置されている。これにより、単電池３と熱伝達部材４との間の熱伝達性がより向上されやすい。
【００３５】
筐体２の天壁２ｄ（外面２ｇ）には、正電極部３１および負電極部３２が設けられている。正電極部３１および負電極部３２は、外面２ｇから露出（突出）している。正電極部３１は、複数の単電池３のうちのある単電池３の電極部３ａ（正電極部）に接続されている。負電極部３２は、複数の単電池３のうちの別のある単電池３の電極部３ａ（負電極部）に接続されている。また、筐体２の天壁２ｄ（外面２ｇ）には、図示されない固定具（例えばねじ等）や、接着剤等によって、監視装置３３が固定されている。
【００３６】
以上の構成の組電池１は、筐体２の天壁２ｄが、収容体１００の端壁１００ｃに面する姿勢で、取付部１０８に支持されている。
【００３７】
また、蓄電池装置Ａは、一例として、図６に示されるように、ＣＰＵ（Central  Processing  Unit）５１、ＲＯＭ（Read  Only  Memory）５２、およびＲＡＭ（Random  Access  Memory）５３を有する。これらのＣＰＵ５１、ＲＯＭ５２、およびＲＡＭ５３は、アドレスバス、データバス等のバスライン５４を介して接続されてコンピュータを構成している。ＣＰＵ５１、ＲＯＭ５２、およびＲＡＭ５３は、管理装置１１７の基板に実装されて管理装置１１７の一部を構成している。ＣＰＵ５１は、制御部の一例である。
【００３８】
ＣＰＵ５１は、ＲＯＭ５２に記憶されたコンピュータ読み取り可能な各種プログラムを実行することにより、蓄電池装置Ａの各部を制御する。ＲＯＭ５２は、ＣＰＵ５１が実行する各種プログラムや各種データを記憶する。ＲＡＭ５３は、ＣＰＵ５１が実行する各種プログラムを一時的に記憶したり各種データを書き換え自在に記憶する。
【００３９】
また、ＣＰＵ５１には、レベルスイッチ１０５，１０６、圧力センサ１０７、および監視装置３３がバスライン５４を介して接続されている。また、ＣＰＵ５１には、通信部としての通信インタフェース（図面ではＩ／Ｆ）１３１や報知部１３２がバスライン５４を介して接続されている。通信インタフェース１３１は、外部装置との間の通信を行う。報知部１３２は、例えば、表示部や音声出力部等によって構成されて、各種の情報を報知（出力）する。表示部は、例えば液晶表示器やＬＥＤ（Light  Emitting  Diode）等である。音声出力部は、例えばスピーカやブザー等である。報知部１３２は、一例として収容体１００の蓋部１０２に設けられて、収容体１００の外部に露出している。
【００４０】
次に、ＣＰＵ５１がプログラムに従って行う各種の処理のうち管理処理の一例を説明する。管理処理では、ＣＰＵ５１は、レベルスイッチ１０５が液体２００を検出した場合、レベルスイッチ１０５によって液体２００が検出された旨を、報知部１３２に報知させる。この報知は、一例として、ユーザが点検口１００ｋから液体２００を注入した際に、液体２００を入れすぎた場合などになされる。また、ＣＰＵ５１は、レベルスイッチ１０６が液体２００を検出した場合、レベルスイッチ１０６によって液体２００が検出された旨を、報知部１３２に報知させる。この報知は、一例として、何らかの理由によって液体２００が収容体１００から漏れる等して液体２００の量が少なくなった場合になされる。また、ＣＰＵ５１は、圧力センサ１０７が検出した圧力が規定圧力を超えた場合には、圧力が規定圧力を超えた旨を、報知部１３２に報知させる。この報知は、一例として、何らかの理由により収容体１００内の圧力が高くなった場合になされる。
【００４１】
以上説明したとおり、本実施形態では、組電池１が収容体１００内で絶縁性の液体２００に浸されている。したがって、本実施形態によれば、一例として、液体２００によって組電池１と収容体１００との間でより効率良く熱を伝達することができる。すなわち、一例として、充放電中の自己発熱によって組電池１の温度が上昇し、液体２００に組電池１の熱が伝わると、組電池１の近傍領域の液体２００の温度が上昇し、他の領域の液体２００に対して密度が下がり浮力が生じ対流が発生する。すると、熱せられた組電池１の近傍領域の液体２００は収容体１００の上方（蓋部１０２の方向）に移動し、また移動した液体２００は収容体１００の側方（側壁１００ｂおよび端壁１００ｃの方向）に拡散し、組電池１の熱を収容体１００の壁部あるいは蓋部１０２に伝達する。よって組電池１の熱が液体２００によって収容体１００に広い面で伝達されるので収容体１００の温度が上昇し、外部に対して広い面で大量の熱を放出することができる。一方、液体２００が移動した組電池１の近傍領域には他の領域の液体２００が流れ込み、組電池１の熱によって液体２００の温度が再び上昇し、流れ込んだ液体２００は収容体１００の上方（蓋部１０２の方向）に移動する。この繰り返しによって液体２００は収容体１００の内部で連続的に対流および拡散するので、組電池１の熱が液体２００によって収容体１００に効率良く伝達され、組電池１の熱を収容体１００から外部に放出することができる。即ち、組電池１を冷却することができる。これにより、組電池１の良好な出力特性が得られる。
【００４２】
また、本実施形態では、収容体１００内に気体３００が存在しているので、液体２００が攪拌されやすい。すなわち、一例として本実施形態の蓄電池装置Ａを自動車などの移動体に使用した場合、自動車の走行中の振動または可減速による加速度などにより液体２００が収容体１００内で揺動し攪拌される。この攪拌により、熱せられた液体２００はより速やかに収容体１００の壁部あるいは蓋部１０２に到達し、組電池１の熱が収容体１００に速やかに伝達される。さらに攪拌により相対的に温度の低い液体２００がより速やかに組電池１の近傍に流れ込むことができるため、組電池１の熱を効率よく液体２００に伝達する効果が生じる。
【００４３】
また、本実施形態では、組電池１が絶縁性の液体２００に浸されるので、組電池１が絶縁性の液体２００によって保護および絶縁され、組電池１に錆が発生したり短絡が発生したりすることを抑制することができる。また、本実施形態では、組電池１を絶縁性の液体２００に浸すことで伝熱を行うので、例えば水冷ジャケットを用いて組電池１の冷却を行う場合に比べて、流路配管や流路接続部を不要とすることができるので、蓄電池装置Ａを簡素な構成とすることができる。よって、蓄電池装置Ａの組み立て性の向上やコスト低減を図ることができるとともに、構造安全性を向上させることができる。また、本実施形態では、組電池１を絶縁性の液体２００に浸すことで伝熱を行うので、空冷に比べて、液体２００の熱容量が極めて大きく、組電池１の熱を空冷に対して大量に奪って熱輸送することができるので、効率良く組電池１の冷却を行うことができる。なお、水冷などの導電性液体を使用した場合の冷却では、液に組電池１を直接浸すと組電池１が短絡してしまうためジャケットなどによって組電池１に対する液の隔離が必要となる。
【００４４】
また、本実施形態では、複数の組電池１を絶縁性の液体２００に浸すので、上述した絶縁性の液体２００の対流、拡散、攪拌、熱輸送により複数の組電池１の熱を相互に短時間で熱交換することができ、複数の組電池１間での冷却や加熱のばらつきを抑制することができる。よって、複数の組電池１間の寿命のばらつきを抑制し、従来に対して蓄電池装置Ａを長寿命とすることができる。
【００４５】
また、本実施形態では、収容体１００は、容器部１０１と蓋部１０２とを備えている。容器部１０１には、組電池１の挿入が可能な開口部１００ｅ１が設けられ、容器部１０１には、液体２００が入れられている。蓋部１０２は、容器部１０１に取り付けられて開口部１００ｅ１を閉じている。そして、組電池１が、取付部１０８によって蓋部１０２に取り付けられている。したがって、蓋部１０２を容器部１０１に取り付けることで、組電池１が容器部１０１内に位置されるので、蓄電池装置Ａの製造が比較的に容易に行われる。この際、液体２００は、蓋部１０２を取り付ける前に予め開口部１００ｅ１や点検口１００ｋから容器部１０１に入れておいてもよいし、蓋部１０２を取り付けた後に点検口１００ｋから容器部１０１に入れておいてもよい。
【００４６】
また、本実施形態では、蓋部１０２に、正電極部１１０、負電極部１１１、遮断装置１１３、管理装置１１７およびリリーフ弁１２１等が集中して設けられている。また、組電池１を取付部１０８に取り付けて支持し、取付部１０８を張出部１０８ｃを介して蓋部１０２に脱着可能に固定し、蓋部１０２を容器部１０１に取り付ける構造としている。よって、一例として、正電極部１１０、負電極部１１１等が配設され組電池１が取付部１０８を介して固定された蓋部１０２をワイヤーで吊り下げ、液体２００が浸された容器部１０１に対して配置し固定することができる。したがって、熱伝熱構造Ａの製造が比較的に容易に行われる。
【００４７】
また、本実施形態では、組電池１は、容器部１０１の内面１０１ａ（底面１０１ｂ、周面１０１ｃ）から離間されている。したがって、内面１０１ａと組電池１との間に液体２００が存在するので、上述した充放電中の自己発熱によって組電池１の温度が上昇したときに組電池１の近傍領域に液体２００が流れ込みやすく、または攪拌により、熱せられた液体２００の組電池１の近傍からの流れ出しと相対的に温度の低い液体２００の組電池１の近傍への流れ込みが発生しやすくなり、結果として組電池１と収容体１００（外部の空気）との間で効率良く熱を伝達することができる。
【００４８】
また、本実施形態では、収容体１００に、収容体１００内の圧力上昇により収容体１００を開放するリリーフ弁１２１や安全弁１２２が設けられている。したがって、収容体１００内の圧力が上昇した際、リリーフ弁１２１や安全弁１２２によって、収容体１００内の過度の圧力上昇を抑えることができる。
【００４９】
＜第１変形例＞
本変形例では、図７に示されるように、各監視装置３３（第二電気部品）が、防液部６０（防油部、防水部）によって覆われた状態で液体２００に浸されている。防液部６０は、例えば、ラミネート製である。防液部６０は、監視装置３３を収容した袋状に設けられてもよいし、監視装置３３に密着した層状に設けられてもよい。防液部６０は、液体２００が監視装置３３に直接触れるのを規制する。
【００５０】
以上の構成によれば、液体２００が監視装置３３に直接触れるのを防液部６０が規制するので、監視装置３３の状態をより良好に維持することができる。
【００５１】
＜第２変形例＞
本変形例では、図８に示されるように、組電池１に第三部材２３および第四部材２４（共に図４参照）が設けられておらず、単電池３が露出している。なお、図８では、組電池１は概略的に示されている。また、本変形例では、各組電池１には監視装置３３（図２参照）が設けられておらず、監視装置３３は管理装置１１７に一体に設けられている。即ち、本変形例では、監視装置３３は、管理装置１１７とともに、収容体１００の外側に位置されて、液体２００に浸されていない。なお、管理装置１１７とは別体で監視装置３３を蓋部１０２に設けてもよい。各単電池３の電極部３ａは、検出線１３３、コネクタ１３４、配線１１８およびコネクタ１１９を介して管理装置１１７に接続されている。
【００５２】
以上の構成によれば、液体２００が監視装置３３に直接触れるのが規制（抑制）されるので、監視装置３３の状態をより良好に維持することができる。
【００５３】
＜第２実施形態＞
本実施形態の蓄電池装置Ａでは、図９に示されるように、収容体１００Ａが複数設けられている。収容体１００Ａは、相互に積み重ねられている。各収容体１００Ａには、液体２００が入れられている。また、組電池１は、複数設けられて、複数の収容体１００Ａに入れられている。即ち、各収容体１００Ａには、液体２００および組電池１が入れられている。複数の組電池１は、直列または並列に接続されている。図９では、複数の組電池１が直列に接続された例が示されている。
【００５４】
収容体１００Ａは、第１実施形態の収容体１００と同様に、一例として、概略直方体状の外観を呈している。また、本実施形態では、第１実施形態の収容体１００と同様に、一例として、収容体１００Ａは、底壁１００ａや、側壁１００ｂ、端壁１００ｃ、天壁１００ｄ等の複数の壁部（壁）を有している。収容体１００Ａは、一例として、複数の部材（底壁１００ａや、側壁１００ｂ、端壁１００ｃ、天壁１００ｄ）の組み合わせとして構成されている。各部材（底壁１００ａや、側壁１００ｂ、端壁１００ｃ、天壁１００ｄ）は、一例として、図示されない固定具（例えばねじ等）や、接着剤等によって結合（固定）されている。収容体１００Ａの内部には、室１００ｅが形成されている。収容体１００Ａ（室１００ｅ）には、液体２００が入れられている。また、収容体１００Ａは、隔壁１００ｐを有している。隔壁１００ｐは、一対の側壁１００ｂ間に位置されて、底壁１００ａと天壁１００ｄとを接続している。収容体１００Ａの内部（室１００ｅ）は、隔壁１００ｐによって、二つの室１００ｅ２，１００ｅ３に区分けされている。一方の室１００ｅ２には、複数の組電池１等が収容され、他方の室１００ｅ３には、導電部材１０９等が収容されている。隔壁１００ｐには、複数の開口部１００ｐ１が設けられている。これらの開口部１００ｐ１を介して、二つの室１００ｅ２，１００ｅ３間の液体２００の流動が可能となっている。また、開口部１００ｐ１には、導電部材１０９が挿入されている。
【００５５】
また、本実施形態では、一例として、収容体１００Ａは、天壁１００ｄの周縁部が側壁１００ｂの外面よりもフランジ状に外側に張り出した張出部１００ｆと、底壁１００ａの周縁部が側壁１００ｂの外面よりもフランジ状に外側に張り出した張出部１００ｍと、を有している。
【００５６】
本実施形態では、一例として、上下で隣合う収容体１００Ａの内部同士は、流路１００ｎ（第一流路）によって連通されている。流路１００ｎは、収容体１００Ａ間での液体２００の流動を許容する。流路１００ｎは、上下で隣合う収容体１００Ａのうち上側に位置された収容体１００Ａの底壁１００ａに設けられた開口部１００ｎ１と、上下で隣合う収容体１００Ａのうち下側に位置された収容体１００Ａの天壁１００ｄに設けられた開口部１００ｎ２とを含む。流路１００ｎは、一例として、室１００ｅ２，１００ｅ３毎に設けられている。流路１００ｎには、電気回路１１２を構成する導電部材１０９が挿通されている。
【００５７】
また、本実施形態では、一例として、排出口１００ｉは、最下位に位置された収容体１００Ａの底壁１００ａに設けられている。排出口１００ｉは、閉塞部材１０３（蓋部）によって閉塞されている。閉塞部材１０３が底壁１００ａから取り外されることで、排出口１００ｉが開放されて、各収容体１００Ａ（室１００ｅ）内の液体２００が排出口１００ｉから排出される。
【００５８】
本実施形態では、組電池１は、収容体１００Ａの底部としての底壁１００ａに載置されている。組電池１は、一例として、底壁１００ａに載置され、隣合う組電池１間、および組電池１と隔壁１００ｐとの間には、緩衝材１３５が設けられ、組電池１はこれら緩衝材１３５により側壁１００ｂ、端壁１００ｃ、隔壁１００ｐに対して相互に押圧固定されている。緩衝材１３５は、例えば板状のゴムやスポンジ等である。
【００５９】
また、本実施形態では、一例として、正電極部１１０（電極部）、負電極部１１１（電極部）は、最上位に位置された収容体１００Ａの一方の側壁１００ｂに設けられている。正電極部１１０は、複数の組電池１のうちのある組電池１の正電極部３１に導電部材１０９を介して接続され、負電極部１１１は、複数の組電池１のうちの他のある組電池１の負電極部３２に導電部材１０９を介して接続されている。正電極部１１０、負電極部１１１、および複数の組電池１は、導電部材１０９を介して接続（電気的に接続）されて、電気回路１１２（第一電気回路、回路、第一回路）を構成している。また、電気回路１１２に含まれる遮断装置１１３は、一例として、最下位と最上位との間の収容体１００Ａの一方の側壁１００ｂに設けられている。
【００６０】
正電極部１１０および負電極部１１１は、最上位の収容体１００Ａから露出している。正電極部１１０および負電極部１１１は、閉塞部材１１４（蓋部、蓋部材）に設けられている。閉塞部材１１４は、最上位の収容体１００Ａの側壁１００ｂに設けられた開口部１０２ｂを閉じている。開口部１０２ｂの周縁部には、開口部１０２ｂを囲った環状の凹部１０２ｃ（空間、収容室、収容部）が形成されている。本実施形態では、一例として、凹部１０２ｃには、シール部材１１５が収容されている。閉塞部材１１４は、側壁１００ｂに、一例として固定具（ねじ）によって固定され、閉塞部材１１４は側壁１００ｂに着脱可能となっている。そして、シール部材１１５によって、閉塞部材１１４と側壁１００ｂとの間のシール性（気密性、液密性）が保たれている（確保されている）。
【００６１】
また、一例として、他方の側壁１００ｂには、管理装置１１７（図９では図示されず、図２参照）が設けられている。管理装置１１７は、当該管理装置１１７が設けられた収容体１００Ａに収容された各組電池１に設けられた監視装置３３の制御および管理を行う。管理装置１１７は、収容体１００Ａに収容された配線１１８を介して、監視装置３３に接続されている。配線１１８は、コネクタ１１９を介して管理装置１１７に接続されている。コネクタ１１９は、他方の側壁１００ｂに設けられた開口部１０２ｆに挿入されて、開口部１０２ｆを閉塞している。コネクタ１１９は、配線１１８と管理装置１１７とを電気的に接続するとともに開口部１０２ｆを液体２００が通過するのを規制する。よって、開口部１０２ｆから液体２００が漏れることをコネクタ１１９が抑制する。複数の監視装置３３は、一例として、配線１１８によって直列に接続されている。
【００６２】
また、本実施形態では、一例として、リリーフ弁１２１は、最上位の収容体１００Ａの天壁１００ｄに設けられ、安全弁１２２は、最下位の収容体１００Ａの一方の側壁１００ｂに設けられている。
【００６３】
以上説明したとおり、本実施形態では、組電池１が収容体１００Ａ内で絶縁性の液体２００に浸されている。したがって、本実施形態によれば、一例として、組電池１が絶縁性の液体２００に浸されていることによる第１実施形態と同様の効果を奏することができる。
【００６４】
＜第３実施形態＞
本実施形態の蓄電池装置Ａでは、図１０，１１に示されるように、収容体１００Ｂが複数設けられている。複数の収容体１００Ｂは、平面的（二次元的）な配置（図１１）が積み重ねられて立体的（三次元的）な配置（図１０）となっている。したがって、蓄電池装置Ａは、相互に積み重ねられた複数の収容体１００Ｂを含む。各収容体１００Ｂには、液体２００が入れられている。また、組電池１は、複数設けられて、各収容体１００Ｂに入れられている。即ち、各収容体１００Ｂには、液体２００および組電池１が入れられている。複数の組電池１は、直列または並列に接続されている。
【００６５】
収容体１００Ｂは、一例として、図１１，１２に示されるように、概略直方体状の外観を呈している。また、本実施形態では、一例として、収容体１００Ｂは、底壁１００ａや、側壁１００ｂ、端壁１００ｃ等の複数の壁部（壁）を有している。収容体１００Ｂは、上方に向けて開口している。収容体１００Ｂの内部には、室１００ｅが形成されている。収容体１００Ｂ（室１００ｅ）には、液体２００が入れられている。また、収容体１００Ｂの一つの側壁１００ｂには、開口部１００ｑが設けられており、側壁１００ｂ同士が対面する収容体１００Ｂの内部同士が、開口部１００ｑによって連通されている。
【００６６】
また、本実施形態では、組電池１は、収容体１００Ｂの底部としての底壁１００ａに載置されている。組電池１は、一例として、底壁１００ａに載置された状態で、底壁１００ａに、図示されない固定具（例えばねじ等）や、接着剤等によって結合（固定）されている。本実施形態では、一例として、底壁１００ａに設けられた凸部１００ａ１に組電池１が載置されている。また、隣合う組電池１間、および組電池１と側壁１００ｂとの間には、緩衝材１３５が設けられている。
【００６７】
以上説明したとおり、本実施形態では、組電池１が収容体１００Ｂ内で絶縁性の液体２００に浸されている。したがって、本実施形態によれば、一例として、組電池１が絶縁性の液体２００に浸されていることによる第１実施形態と同様の効果を奏することができる。
【００６８】
＜第４実施形態＞
本実施形態の蓄電池装置Ａでは、図１３，１４に示されるように、収容体１００Ｃに電池ユニット４００が収容されている。各収容体１００Ｃには、液体２００が入れられている。電池ユニット４００は、収容体１００Ｃ内で液体２００に浸されている。
【００６９】
収容体１００Ｃは、一例として、図１５に示されるように、概略直方体状の外観を呈している。また、本実施形態では、一例として、収容体１００Ｃは、底壁１００ａや、側壁１００ｂ、端壁１００ｃ等の複数の壁部（壁）を有している。収容体１００Ｃは、上方に向けて開口している。収容体１００Ｃの内部には、室１００ｅが形成されている。収容体１００Ｃ（室１００ｅ）には、液体２００（図１３参照）が入れられている。
【００７０】
また、電池ユニット４００は、一例として、図１６に示されるように、複数の組電池１と、複数の組電池１を保持したフレーム４０１と、を有している。複数の組電池１は、一例として、平面的（二次元的）な配置が積み重ねられて立体的（三次元的）な配置となっている。複数の組電池１は、収容体１００Ｃ内で液体２００に浸されている。組電池１は、監視装置３３が上方に向いた姿勢で、フレーム４０１に固定されている。組電池１の電極部（正電極部３１、負電極部３２）に接続される複数の配線４０２（接続部材）の少なくとも一部は、上下方向に延在して設けられている。
【００７１】
フレーム４０１は、組電池１が載置された上下複数段のトレイ部４０１ａと、トレイ部４０１ａに組電池１を固定した固定部材４０１ｂと、各トレイ部４０１ａ同士を連結した棒状の連結部材４０１ｃと、を有している。トレイ部４０１ａ、固定部材４０１ｂ、および連結部材４０１ｃは、図示されない固定具（例えばねじ等）や、接着剤、溶接等によって結合（固定）されている。フレーム４０１は、金属材料や合成樹脂材料によって構成される。
【００７２】
以上説明したとおり、本実施形態では、組電池１（電池ユニット４００）が収容体１００Ｃ内で絶縁性の液体２００に浸されている。したがって、本実施形態によれば、一例として、組電池１が絶縁性の液体２００に浸されていることによる第１実施形態と同様の効果を奏することができる。
【００７３】
＜第５実施形態＞
本実施形態では、図１７に示されるように、蓄電池装置Ａに循環冷却部５００（循環部、冷却部）が設けられている。なお、ここでは、循環冷却部５００を第１実施形態の蓄電池装置Ａに設けた例を説明するが、これに限るものではなく、循環冷却部５００を他の実施形態や変形例に設けてよい。
【００７４】
循環冷却部５００は、収容体１００から流出した（流出させた）液体２００を冷却し、冷却した液体２００を収容体１００へ戻す。循環冷却部５００は、液体２００が流入（流入出）する熱交換器５０３（ラジエータ）と、熱交換器５０３での液体２００の冷却に用いられる風を発生させるファン５０４と、収容体１００と熱交換器５０３との間で液体２００を循環させるポンプ５０２と、を有している。ファン５０４は、一例として、熱交換器５０３に向けて送風する。ファン５０４は、収容体１００側とは異なる方向に送風する。ポンプ５０２は、モータ（駆動源）によって駆動される。収容体１００、ポンプ５０２、および熱交換器５０３は、パイプ５０５によって接続されている。収容体１００、ポンプ５０２、熱交換器５０３およびパイプ５０５によって、循環流路５０６が構成されている。循環流路５０６において収容体１００を基準（始点）とした場合、ポンプ５０２は、一例として、熱交換器５０３の上流側に位置されている。なお、ポンプ５０２が熱交換器５０３の下流側に位置されていてもよい。
【００７５】
循環冷却部５００では、一例として、ポンプ５０２が動作することで、収容体１００から流出した液体２００が熱交換器５０３を通過して再び収容体１００に戻される。液体２００は、熱交換器５０３を通過する過程で外気に熱を奪われることで冷却される。したがって、冷却された液体２００が収容体１００に戻され、組電池１をより効率良く冷却することができる。ポンプ５０２およびファン５０４は、例えば、所定の操作によって動作を開始していても良いし、常時動作していてもよい。
【００７６】
また、循環冷却部５００には、ブリーザ弁５０７とリザーバタンク５０８とが設けられている。ブリーザ弁５０７は、パイプ５０５によって循環流路５０６に接続され、リザーバタンク５０８は、パイプ５０５によってブリーザ弁５０７に接続されている。リザーバタンク５０８は、流路５１０（第二流路）によって、収容体１００に接続され、液体２００を貯留する。流路５１０は、パイプ５０５、ブリーザ弁５０７および循環流路５０６によって構成され、液体２００が流動可能である。
【００７７】
ブリーザ弁５０７は、プレッシャ弁とバキューム弁とを有して吸排気動作を行う。ブリーザ弁５０７は、循環流路５０６（収容体１００）内の圧力が第一の規定値以上になると、開弁して循環流路５０６内の液体２００をリザーバタンク５０８へ放出する。また、ブリーザ弁５０７は、循環流路５０６（収容体１００）内の圧力が第一の規定値よりも低い第二の規定値以下になると、開弁してリザーバタンク５０８内の液体２００を循環流路５０６へ放出する。このブリーザ弁５０７の動作によって、循環流路５０６（収容体１００）内の圧力の変動が抑制される。なお、図１７では、図示されていないが、点検部１００ｊおよび閉塞部材１０４（図２参照）は、収容体１００または循環流路５０６に設けられる。
【００７８】
以上説明したとおり、本実施形態では、循環冷却部５００によって液体２００が冷却されるので、組電池１をより効率的に冷却することができる。
【００７９】
なお、循環冷却部５００は、例えば、蓄電池装置Ａが自動車に搭載される場合、自動車のエンジン用の冷却系を適用（兼用）してもよい。
【００８０】
＜変形例＞
本変形例では、図１８に示されるように、熱交換器５０３が収容体１００に面して位置され、ファン５０４が熱交換器５０３および収容体１００に向けて送風を行う。以上の構成によれば、ファン５０４によって生じた風が熱交換器５０３に加えて収容体１００にも当たるので、収容体１００を冷却することができる。よって、収容体１００内の液体２００がより冷却されるので、組電池１をより効率的に冷却することができる。
【００８１】
＜第６実施形態＞
本実施形態は、基本的な構成は第５実施形態と同様であるが、図１９に示されるように、蓄電池装置Ａに温度計測部５２０が設けられている点が第５実施形態に対して異なる。
【００８２】
温度計測部５２０は、収容体１００（図２参照）の内部と収容体１００の外部との少なくとも一方の温度を計測する。本実施形態では、温度計測部５２０は、収容体１００の内部の温度を計測する。一例として、温度計測部５２０は、収容体１００の内部における単電池３の周囲（近傍）の温度を計測する。温度計測部５２０は、一例として、組電池１Ａに設けられた温度センサ５２１（第一温度センサ、センサ）を含む。温度センサ５２１は、各単電池３に対応して設けられている。温度センサ５２１は、組電池１Ａの筐体２または単電池３に設けられた凹部５２２に収容されている。本実施形態では、凹部５２２は、筐体２の底壁２ａに、各単電池３に対応して設けられている。各温度センサ５２１は、対応する単電池３の周囲温度を計測する。各温度センサ５２１は、配線５２５を介して監視装置３３に接続されている。
【００８３】
本実施形態の筐体２には、一例として、第三部材２３および第四部材２４（図４参照）が設けられていない。また、本実施形態では、一例として、筐体２の底壁２ａと側壁２ｂと端壁２ｃとが一体成形されている。また、監視装置３３は、電極部３ａ同士を接続するバスバー２６に面して配置されて、筐体２に固定されている。また、図１９では、単電池３の数が第１実施形態における単電池３の数よりも少ない例が示されている。
【００８４】
また、本実施形態では、図２０に示されるように、温度センサ５２１が、ＣＰＵ５１に監視装置３３を介して接続されている。これにより、各温度センサ５２１の検出結果がＣＰＵ５１に入力される。また、ＣＰＵ５１には、第５実施形態で説明したファン５０４とポンプ５０２を駆動するモータ５０９（駆動源）が接続されている。ＣＰＵ５１は、ファン５０４を駆動制御するとともに、モータ５０９を駆動制御することでポンプ５０２（の動作）を駆動制御する。
【００８５】
ＣＰＵ５１は、プログラムに従うことにより、温度制御処理を実行する。温度制御処理では、ＣＰＵ５１は、温度計測部５２０の計測結果を用いて循環冷却部５００（ポンプ５０２およびファン５０４）を制御する。一例として、図２１に示されるように、ＣＰＵ５１は、まずは、組電池１Ａの温度を取得する（ステップＳ１）。詳細には、各温度センサ５２１の検出結果を受信する。次に、ＣＰＵ５１は、組電池１Ａの温度が規定値以上かを判定する（ステップＳ２）。組電池１Ａの温度は、一例としては、複数の温度センサ５２１の検出温度の平均値である。また、組電池１Ａの温度は、別の一例としては、複数の温度センサ５２１の検出温度のうちの最高温度または最低温度である。なお、温度センサ５２１が単一の場合、ＣＰＵ５１は、その温度センサ５２１の検出温度を組電池１Ａの温度として取得する。ＣＰＵ５１は、組電池１Ａの温度が規定値以上であると判定した場合（ステップＳ２のＹｅｓ）、ポンプ５０２およびファン５０４の駆動を開始してポンプ５０２およびファン５０４を動作させる（ステップＳ３）。この際、ポンプ５０２およびファン５０４が既に動作中の場合には、ＣＰＵ５１は、ポンプ５０２およびファン５０４の動作を続行させる。一方、ＣＰＵ５１は、組電池１Ａの温度が規定値以上でなく規定値未満であると判定した場合（ステップＳ２のＮｏ）、ポンプ５０２およびファン５０４の駆動を停止してポンプ５０２およびファン５０４の動作を停止させる（ステップＳ４）。この際、ポンプ５０２およびファン５０４が停止状態の場合には、ＣＰＵ５１は、ポンプ５０２およびファン５０４の停止状態を維持する。ＣＰＵ５１は、上記の処理を規定時間毎に繰り返し行う。
【００８６】
以上説明したとおり、本実施形態では、ＣＰＵ５１が、温度計測部５２０の計測結果を用いて循環冷却部５００を制御する。よって、ＣＰＵ５１によって液体２００の温度を制御して、組電池１Ａの温度の制御を行うことができる。
【００８７】
また、本実施形態では、温度計測部５２０が収容体１００の内部の温度を計測し、温度計測部５２０の計測結果が規定値以上となった場合、ＣＰＵ５１が、循環冷却部５００を動作させる。したがって、温度計測部５２０の計測結果が規定値以上となった場合、循環冷却部５００による液体２００の冷却が行われ、組電池１Ａをより冷却することができる。なお、一例として、ファン５０４を常時回転させていてもよい。この場合、ＣＰＵ５１は、温度計測部５２０の計測結果が規定値以上となった場合、ポンプ５０２の駆動を開始してポンプ５０２を動作させる。
【００８８】
なお、本実施形態では、温度センサ５２１が単電池３毎に設けられた例を説明したが、これに限るものではない。例えば、温度センサ５２１を、単電池３毎に代えて、組電池１Ａ毎に設けてもよい。
【００８９】
＜変形例＞
本変形例では、図２２に示されるように、凹部５２２が各単電池３に設けられている。凹部５２２は、一例として筐体３ｂの外面３ｄに設けられている。温度センサ５２１は、凹部５２２に収容されて、単電池３に当接している。温度計測部５２０の温度センサ５２１は、収容体１００の内部の温度として、単電池３（筐体３ｂ）の温度を計測する。本変形例でも、ＣＰＵ５１は、温度計測部５２０の計測結果を用いて循環冷却部５００を制御する。よって、ＣＰＵ５１によって液体２００の温度を制御して、組電池１Ａの温度の制御を行うことができる。
【００９０】
＜第７実施形態＞
本実施形態は、基本的な構成は第６実施形態と同様であるが、図２３に示されるように、温度計測部５２０の温度センサ５２１が、収容体１００の内部における組電池１の外側に設けられている点が第６実施形態に対して異なる。また、本実施形態の組電池１は、第５実施形態の組電池１が用いられている。
【００９１】
温度計測部５２０は、収容体１００の内部の温度を計測する。一例として、温度計測部５２０は、収容体１００の内部における組電池１の周囲（近傍）の液体２００の温度を温度センサ５２１によって計測する。温度センサ５２１は、各組電池１に対応して設けられている。温度センサ５２１は、一例として、取付部１０８に固定されている。なお、温度センサ５２１を組電池１間に設けて、組電池１間の液体２００の温度を計測してもよい。
【００９２】
また、本実施形態では、図２４に示されるように、温度センサ５２１は、一例として、ＣＰＵ５１に監視装置３３を介さずに接続されている。これにより、各温度センサ５２１の検出結果が監視装置３３を介さずにＣＰＵ５１に入力される。
【００９３】
ＣＰＵ５１は、プログラムに従うことにより、温度制御処理を実行する。温度制御処理では、ＣＰＵ５１は、温度計測部５２０の計測結果を用いて循環冷却部５００（ポンプ５０２およびファン５０４）を制御する。一例として、図２５に示されるように、ＣＰＵ５１は、まずは、液体２００の温度を取得する（ステップＳ１）。詳細には、各温度センサ５２１の検出結果を受信する。次に、ＣＰＵ５１は、液体２００の温度が規定値以上かを判定する（ステップＳ２）。液体２００の温度は、一例としては、複数の温度センサ５２１の検出温度の平均値である。また、液体２００の温度は、別の一例としては、複数の温度センサ５２１の検出温度のうちの最高温度または最低温度である。なお、温度センサ５２１が単一の場合、ＣＰＵ５１は、その温度センサ５２１の検出温度を液体２００の温度として取得する。ＣＰＵ５１は、液体２００の温度が規定値以上であると判定した場合（ステップＳ２のＹｅｓ）、ポンプ５０２およびファン５０４の駆動を開始してポンプ５０２およびファン５０４を動作させる（ステップＳ３）。この際、ポンプ５０２およびファン５０４が既に動作中の場合には、ＣＰＵ５１は、ポンプ５０２およびファン５０４の動作を続行させる。一方、ＣＰＵ５１は、液体２００の温度が規定値以上でなく規定値未満であると判定した場合（ステップＳ２のＮｏ）、ポンプ５０２およびファン５０４の駆動を停止してポンプ５０２およびファン５０４の動作を停止させる（ステップＳ４）。この際、ポンプ５０２およびファン５０４が停止状態の場合には、ＣＰＵ５１は、ポンプ５０２およびファン５０４の停止状態を維持する。ＣＰＵ５１は、上記の処理を規定時間毎に繰り返し行う。
【００９４】
以上説明したとおり、本実施形態では、ＣＰＵ５１が、温度計測部５２０の計測結果を用いて循環冷却部５００を制御する。よって、本実施形態によれば、第６実施形態と同様の効果を奏することができる。
【００９５】
＜第８実施形態＞
本実施形態は、基本的な構成は第７実施形態と同様であるが、図２６、２７に示されるように、温度計測部５２０が、温度センサ５２１（第一温度センサ）の他に、温度センサ５２３（第二温度センサ）を有している点が第７実施形態に対して異なる。なお、図２６では、点検部１００ｊおよび閉塞部材１０４が、収容体１００に設けられている例が示されているが、点検部１００ｊおよび閉塞部材１０４は、循環流路５０６に設けられていてもよい。
【００９６】
温度センサ５２３は、図２６に示されるように、収容体１００の外部に設けられて収容体１００の外部の温度（環境温度）を計測する。温度センサ５２３は、一例として、収容体１００の側壁１００ｂに突設された腕部１００ｒ（支持部）に固定されている。温度計測部５２０は、収容体１００の内部の温度と収容体１００の外部の温度とを計測する。収容体１００の内部の温度は、温度センサ５２１により計測され、収容体１００の外部の温度は、温度センサ５２３により計測される。また、本実施形態では、収容体１００の内部の温度として、収容体１００の内部の液体２００の温度が温度センサ５２１により計測される。なお、温度センサ５２１として、第６実施形態やその変形例の温度センサ５２１を用いてもよい。
【００９７】
また、本実施形態では、図２７に示されるように、温度センサ５２３は、ＣＰＵ５１に接続されている。これにより、温度センサ５２３の検出結果がＣＰＵ５１に入力される。
【００９８】
ここで、温度制御処理の実行中に、例えば、熱交換器５０３に目詰まり等が発生して循環冷却部５００が動作不良を起こした場合には、循環冷却部５００の動作を停止させることが望ましい。循環冷却部５００が動作不良を起こした場合の液体２００の温度について図２８を参照して説明する。図２８には、温度制御処理中の外気温度Ｔ２の変化の様子と液体２００の温度Ｔ１の変化の様子との一例が示されている。図２８中の破線で示す液体２００の温度Ｔ１は、循環冷却部５００が動作不良を起こした場合の温度を示しており、図２８中の実線で示す液体２００の温度Ｔ１は、循環冷却部５００が正常に動作した場合の温度を示している。循環冷却部５００が動作不良を起こした場合は、循環冷却部５００が正常に動作した場合に比べて、液体２００の温度Ｔ１が上昇する。この場合、例えば、外気温度Ｔ２だけを用いてＣＰＵ５１が温度制御処理を実行していると、循環冷却部５００に動作不良が発生したことを検出できず、循環冷却部５００の動作を停止させることができない。そこで、本実施形態では、液体２００の温度Ｔ１（収容体１００の内部の温度）と外気温度Ｔ２（収容体１００の外部の温度）とを用いて温度制御処理を行うことで、循環冷却部５００の動作の良否を判定できるようにしている。一例として、液体２００の温度Ｔ１から外気温度Ｔ２を引いた値βが規定値α以上か否かで循環冷却部５００の動作の良否を判定する。以下に、本実施形態の温度制御処理を詳しく説明する。
【００９９】
温度制御処理では、図２９に示されるように、ＣＰＵ５１は、まずは、循環冷却部５００（ポンプ５０２およびファン５０４）を駆動して、循環冷却部５００（ポンプ５０２およびファン５０４）を動作させる（ステップＳ１１）。
【０１００】
次に、ＣＰＵ５１は、液体２００の温度Ｔ１と外気温度Ｔ２とを取得する（ステップＳ１２）。詳細には、各温度センサ５２１，５２３の検出結果を受信する。次に、ＣＰＵ５１は、液体２００の温度Ｔ１（収容体１００の内部の温度）が外気温度Ｔ２（収容体１００の外部の温度）に対して規定値α以上高いかを判定する（ステップＳ１３）。つまり、ＣＰＵ５１は、Ｔ１−Ｔ２≧αかを判定する。液体２００の温度は、一例としては、複数の温度センサ５２１の検出温度の平均値である。また、液体２００の温度は、別の一例としては、複数の温度センサ５２１の検出温度のうちの最高温度または最低温度である。なお、温度センサ５２１が単一の場合、ＣＰＵ５１は、その温度センサ５２１の検出温度を液体２００の温度として取得する。ＣＰＵ５１は、液体２００の温度Ｔ１（収容体１００の内部の温度）が外気温度Ｔ２（収容体１００の外部の温度）に対して規定値α以上高くないと判定した場合（ステップＳ１３のＮｏ）、循環冷却部５００（ポンプ５０２およびファン５０４）の動作を継続させて、ステップＳ１２に戻る。一方、ＣＰＵ５１は、液体２００の温度Ｔ１（収容体１００の内部の温度）が外気温度Ｔ２（収容体１００の外部の温度）に対して規定値α以上高いと判定した場合（ステップＳ１３のＹｅｓ）、循環冷却部５００（ポンプ５０２およびファン５０４）の動作を停止させる（ステップＳ１４）。この際、ＣＰＵ５１は、一例として、循環冷却部５００の動作不良（エラー）が発生した旨を報知部１３２に報知させる。
【０１０１】
以上説明したとおり、本実施形態では、ＣＰＵ５１は、計測された液体２００の温度Ｔ１（収容体１００の内部の温度）と外気温度Ｔ２（収容体１００の外部の温度）とを用いて循環冷却部５００を制御する。よって、循環冷却部５００の動作不良を良好に判定することができる。
【０１０２】
以上のとおり、上記各実施形態および変形例によれば、一例として、より効率よく組電池１，１Ａを冷却することができる。
【０１０３】
以上、本発明の実施形態および変形例を例示したが、上記実施形態および変形例はあくまで一例であって、発明の範囲を限定することは意図していない。これら実施形態および変形例は、その他の様々な形態で実施されることが可能であり、発明の要旨を逸脱しない範囲で、種々の省略、置き換え、組み合わせ、変更を行うことができる。これら実施形態、変形例およびそれらの変形は、発明の範囲や要旨に含まれるとともに、特許請求の範囲に記載された発明とその均等の範囲に含まれる。また、各構成要素のスペック（構造や、種類、方向、形状、大きさ、長さ、幅、厚さ、高さ、数、配置、位置、材質等）は、適宜に変更して実施することができる。
【０１０４】
また、上記各実施形態および変形例では、筐体２内で液体２００に浸された電池として、組電池１，１Ａの例を説明したが、これに限るものではない。筐体２内で液体２００に浸された電池としては、例えば、単電池３であってもよい。
【符号の説明】
【０１０５】
１，１Ａ…組電池（電池）、２…筐体、３…単電池、３３…監視装置（第二電気部品）、５１…ＣＰＵ（制御部）、６０…防液部、１００，１００Ａ，１００Ｂ，１００Ｃ…収容体、１００ａ…底壁（底部）、１００ｅ１…開口部（第一開口部）、１００ｎ…流路（第一流路）、１０１…容器部、１０１ａ…内面、１０２…蓋部、１０２ｆ…開口部（第二開口部）、１０８…取付部、１１０…正電極部（電極部）、１１１…負電極部（電極部）、１１２…電気回路、１１３…遮断装置、１１７…管理装置（第一電気部品）、１１８…配線、１１９…コネクタ、１２１…リリーフ弁（弁）、１２２…安全弁（弁）、２００…液体、５００…循環冷却部、５０２…ポンプ、５０３…熱交換器、５０４…ファン、５０８…リザーバタンク、５１０…流路（第二流路）、５２０…温度計測部、５２１…温度センサ、５２２…凹部、Ａ…蓄電池装置。
【図１】
2014049424.tif 000003
【図２】
2014049424.tif 000004
【図３】
2014049424.tif 000005
【図４】
2014049424.tif 000006
【図５】
2014049424.tif 000007
【図６】
2014049424.tif 000008
【図７】
2014049424.tif 000009
【図８】
2014049424.tif 000010
【図９】
2014049424.tif 000011
【図１０】
2014049424.tif 000012
【図１１】
2014049424.tif 000013
【図１２】
2014049424.tif 000014
【図１３】
2014049424.tif 000015
【図１４】
2014049424.tif 000016
【図１５】
2014049424.tif 000017
【図１６】
2014049424.tif 000018
【図１７】
2014049424.tif 000019
【図１８】
2014049424.tif 000020
【図１９】
2014049424.tif 000021
【図２０】
2014049424.tif 000022
【図２１】
2014049424.tif 000023
【図２２】
2014049424.tif 000024
【図２３】
2014049424.tif 000025
【図２４】
2014049424.tif 000026
【図２５】
2014049424.tif 000027
【図２６】
2014049424.tif 000028
【図２７】
2014049424.tif 000029
【図２８】
2014049424.tif 000030
【図２９】
2014049424.tif 000031